(57)【特許請求の範囲】
【請求項１】
物理ダウンリンク共有チャネル（ＰＤＳＣＨ）のレートマッチングを容易にするための方法であって、ネットワークノード（２）で実行され、
無線装置（１）へ、１つ以上の非周期的なチャネルステート情報リファレンス信号（ＣＳＩ−ＲＳ）のリソースプールのうちの全ての利用可能なリソースのグループが所定のサブフレームで使用されるかどうかの指示を送ること（１０２）であって、それぞれの非周期的なＣＳＩ−ＲＳはＵＥ特有であり、送信モード９の無線装置へ、前記１つ以上の非周期的なＣＳＩ−ＲＳリソースプールのうちのＣＳＩ−ＲＳリソースの判定された使用を表す２つの付加ビットの値で、ダウンリンク制御情報（ＤＣＩ）フォーマット２Ｃのメッセージを送信することを含む前記指示を送ること（１０２）、
を含むことを特徴とする方法。
【請求項２】
請求項１に記載の方法であって、
あらかじめ設定された第１部分およびあらかじめ設定された第２部分への前記１つ以上のプールの分割を取得すること（１００）と、
無線装置がＰＤＳＣＨのレートマッチングを可能にするために、前記無線装置へ、全ての利用可能な非周期的なＣＳＩ−ＲＳリソースの前記第１部分、前記第２部分、または前記１つ以上のプールが所与のサブフレームで使用されるかどうかの指示を送ること（１０２）と、
をさらに含み、前記第１部分は前記第２部分とは異なることを特徴とする方法。
【請求項３】
請求項１または２に記載の方法であって、前記無線装置における非周期的なゼロ電力（ＺＰ）のＣＳＩ−ＲＳの設定のセットは、前記非周期的なＣＳＩ−ＲＳリソースプールと重複するリソースを含むことを特徴とする方法。
【請求項４】
請求項１から３のいずれか１項に記載の方法であって、前記２つの付加ビットは００、０１、１０、１１の値で４つのステートを表すことを特徴とする方法。
【請求項５】
物理ダウンリンク共有チャネル（ＰＤＳＣＨ）のレートマッチングを容易にするための方法であって、無線装置で実行され、
ネットワークノード（２）から、１つ以上の非周期的なチャネルステート情報リファレンス信号（ＣＳＩ−ＲＳ）のリソースプールのうちの全ての利用可能なリソースのグループが所定のサブフレームで使用されるかどうかの指示を受信すること（１１０）であって、それぞれの非周期的なＣＳＩ−ＲＳはＵＥ特有であり、送信モード９のネットワークノード（２）から、前記１つ以上の非周期的なＣＳＩ−ＲＳリソースプールのうちのＣＳＩ−ＲＳリソースの判定された使用を表す２つの付加ビットの値で、ダウンリンク制御情報（ＤＣＩ）フォーマット２Ｃのメッセージを受信することを含む、前記指示を受信すること（１１０）と、
前記受信した指示によって指示された前記グループの非周期的なＣＳＩ−ＲＳリソースの周囲でＰＤＳＣＨのレートマッチングを適用すること（１１１）と、
を含むことを特徴とする方法。
【請求項６】
請求項５に記載の方法であって、
前記ネットワークノードから、全ての利用可能な非周期的なＣＳＩ−ＲＳリソースのあらかじめ設定された第１部分、あらかじめ設定された第２部分、または前記１つ以上のプールが所与のサブフレームで使用されるかどうかの指示を受信すること（１１０）と、
前記受信した指示によって指示された全ての利用可能なリソースの前記あらかじめ設定された第１部分、前記あらかじめ設定された第２部分、または前記１つ以上のプールにＰＤＳＣＨのレートマッチングを適用すること（１１１）と、
をさらに含み、前記第１部分は前記第２部分とは異なることを特徴とする方法。
【請求項７】
請求項６に記載の方法であって、前記無線装置における非周期的なゼロ電力（ＺＰ）のＣＳＩ−ＲＳの設定のセットは、前記非周期的なＣＳＩ−ＲＳリソースプールと重複するリソースを含むことを特徴とする方法。
【請求項８】
請求項５から７のいずれか１項に記載の方法であって、前記２つの付加ビットは００、０１、１０、１１の値で４つのステートを表すことを特徴とする方法。
【請求項９】
物理ダウンリンク共有チャネル（ＰＤＳＣＨ）のレートマッチングを容易にするためのネットワークノード（２）であって、
プロセッサ（１０）と、
コンピュータプログラムであって、前記プロセッサによって実行された場合に、前記ネットワークノード（２）に、
無線装置（１）へ、１つ以上の非周期的なチャネルステート情報リファレンス信号（ＣＳＩ−ＲＳ）のリソースプールのうちの全ての利用可能なリソースのグループが所定のサブフレームで使用されるかどうかの指示を送らせること（１０２）であって、それぞれの非周期的なＣＳＩ−ＲＳはＵＥ特有であり、送信モード９の無線装置へ、前記１つ以上の非周期的なＣＳＩ−ＲＳリソースプールのうちのＣＳＩ−ＲＳリソースの判定された使用を表す２つの付加ビットの値で、ダウンリンク制御情報（ＤＣＩ）フォーマット２Ｃのメッセージを送信させることを含む、前記指示を送らせる（１０２）、
ための命令を含む前記コンピュータプログラムを記憶するコンピュータ可読記憶媒体と
を含むことを特徴とするネットワークノード。
【請求項１０】
物理ダウンリンク共有チャネル（ＰＤＳＣＨ）のレートマッチングを容易にするための無線装置（１）であって、
プロセッサ（１０）と、
コンピュータプログラムであって、前記プロセッサによって実行された場合に、前記無線装置に、
ネットワークノード（２）から、１つ以上の非周期的なチャネルステート情報リファレンス信号（ＣＳＩ−ＲＳ）のリソースプールのうちの全ての利用可能なリソースのグループが所定のサブフレームで使用されるかどうかの指示を受信（１１０）させることであって、それぞれの非周期的なＣＳＩ−ＲＳはＵＥ特有であり、送信モード９のネットワークノード（２）から、前記１つ以上の非周期的なＣＳＩ−ＲＳリソースプールのうちのＣＳＩ−ＲＳリソースの判定された使用を表す２つの付加ビットの値で、ダウンリンク制御情報（ＤＣＩ）フォーマット２Ｃのメッセージを受信することを含む、前記指示を受信（１１０）させ、
前記受信した指示によって指示された前記グループの非周期的なＣＳＩ−ＲＳリソースの周囲でＰＤＳＣＨのレートマッチングを適用（１１１）させる、
命令を含む前記コンピュータプログラムを記憶するコンピュータ可読記憶媒体と、を含むことを特徴とする無線装置。
【発明の詳細な説明】
【技術分野】
【０００１】
本発明は、物理ダウンリンク共有チャネル（ＰＤＳＣＨ）のレートマッチングのための方法、ネットワークノード、無線装置、コンピュータプログラム、およびそのコンピュータプログラム製品に関連する。
【背景技術】
【０００２】
ロングタームエボリューション（ＬＴＥ）はダウンリンクでは直交周波数分割多重（ＯＦＤＭ）を、アップリンクでは離散フーリエ変換（ＤＦＴ）拡散ＯＦＤＭを用いる。基本的なＬＴＥダウンリンク物理リソースは図２に示すように、時間−周波数のグリッドとしてみることができ、各リソースエレメントは１つのＯＦＤＭシンボル間隔のうちの１つのＯＦＤＭサブキャリアに対応する
（３ＧＰＰ  ＴＳ  ３６．２１１  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｃｈａｎｎｅｌｓ  ａｎｄ  ｍｏｄｕｌａｔｉｏｎ  （Ｒｅｌｅａｓｅ  １３）；  Ｖ１３．０．０  （２０１６−０１））。
【０００３】
時間ドメインでは、ＬＴＥのダウンリンク送信は１０ｍｓの無線フレームで編成され、各無線フレームは図３に示すようにＴsubframe＝１ｍｓの長さの１０個の均一なサイズのサブフレームを有する。
【０００４】
さらに、ＬＴＥのリソース配置は、典型的にはリソースブロック（ＲＢ）の観点から説明され、リソースブロックは時間ドメインにおける１スロット（０．５ｍｓ）、周波数ドメインの１２の連続したサブキャリアに対応する。リソースブロックは、システム帯域幅の一方の端で０から始まり、周波数ドメインで番号付けられる。
【０００５】
ダウンリンク送信は動的にスケジューリングされ、言い換えると、各サブフレームで、基地局はどの端末のデータが送信され、どのリソースブロックで現在のダウンリンクサブフレームにおいてデータが送信されるかについての制御情報を送信する。制御信号は典型的には各サブフレームの最初の１、２、３、または４つのＯＦＤＭシンボルで送信される。制御として３つのＯＦＤＭシンボルを有するダウンリンクシステムを図４に示す。
【０００６】
＜物理チャネルおよび送信モード＞
ＬＴＥにおいて、複数の物理ＤＬチャネルがサポートされる。ダウンリンク物理チャネルは、上位レイヤから発信された情報を搬送するリソースエレメントのセットに対応する。以降は、ＬＴＥでサポートされる物理チャネルのいくつかである。
【０００７】
−物理ダウンリンク共有チャネル（ＰＤＳＣＨ）
−物理ダウンリンク制御チャネル（ＰＤＣＣＨ）
−拡張型物理ダウンリンク制御チャネル（ＥＰＤＣＣＨ）
ＰＤＳＣＨは主にユーザトラフィックデータと上位レイヤのメッセージを搬送するために使用する。ＰＤＳＣＨは、図４に示すように、制御領域の外側のＤＬサブフレームで送信される。ＰＤＣＣＨおよびＥＰＤＣＣＨの両方は、物理リソースブロック（ＰＲＢ）割り当て、変調レベルおよび符号化方式（ＭＣＳ）、送信器で使用されるプリコーダのようなダウンリンク（ＤＬ）制御情報（ＤＣＩ）を搬送するために使用される。ＰＤＣＣＨはＤＬサブフレーム内の最初の１つから４つめのＯＦＤＭシンボル、すなわち制御領域において送信され、ＥＰＤＣＣＨはＰＤＳＣＨと同一の領域で送信される。
【０００８】
同様に、以下の物理ＵＬチャネルがサポートされる。
【０００９】
−物理アップリンク共有チャネル（ＰＵＳＣＨ）
−物理アップリンク制御チャネル（ＰＵＣＣＨ）
異なるＤＣＩフォーマットが、ＤＬおよびＵＬのデータスケジューリング向けにＬＴＥで定義される。例えば、ＤＣＩフォーマット０および４はＵＬデータスケジューリングのために使用され、ＤＣＩフォーマット１、１Ａ、１Ｂ、１Ｃ、１Ｄ、２、２Ａ、２Ｂ、２Ｃ、２ＤがＤＬデータスケジューリングのために使用される（３ＧＰＰ  ＴＳ  ３６．２１２  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｍｕｌｔｉｐｌｅｘｉｎｇ  ａｎｄ  ｃｈａｎｎｅｌ  ｃｏｄｉｎｇ（Ｒｅｌｅａｓｅ  １３）；  Ｖ１３．０．０  （２０１６−０１））。ＤＬにおいて、どのＤＣＩフォーマットがデータスケジューリングのために使用されるかはＤＬ伝送方式および／または送信されるべきメッセージのタイプに関連付けられる。以降は、ＬＴＥでサポートされる伝送方式のいくつかである。
【００１０】
−単一のアンテナポート
−送信ダイバーシティ（ＴｘＤ）
−開ループ空間多重化
−閉ループ空間多重化
−最大８層のレイヤ送信
ＰＤＣＣＨは常に、単一のアンテナポートまたは送信ダイバーシティ方式のいずれかで送信され、ＰＤＳＣＨは伝送方式のいずれか１つを利用することができる。ＬＴＥにおいて、ユーザ機器（ＵＥ）は、伝送方式よりもむしろ送信モード（ＴＭ）で設定される。ＬＴＥにおいて、ＰＤＳＣＨに対してこれまで定義された１０個のＴＭ、すなわちＴＭ１からＴＭ１０、がある。各ＴＭはプライマリ伝送方式およびバックアップ伝送方式を定義する。バックアップ伝送方式は単一のアンテナポートまたはＴｘＤのどちらかである。以下はＬＴＥにおけるいくつかのプライマリ伝送方式のリストである。
【００１１】
−ＴＭ１：単一のアンテナポート、ポート０
−ＴＭ２：ＴｘＤ
−ＴＭ３：開ループＳＭ
−ＴＭ４：閉ループＳＭ
−ＴＭ９：最大８層のレイヤ送信、ポート７〜１４
−ＴＭ１０：最大８層のレイヤ送信、ポート７〜１４
ＴＭ１からＴＭ６において、セル特有のリファレンス信号（ＣＲＳ）が、チャネルステート情報フィードバックおよびＵＥにおける復調のためのリファレンス信号として使用される。一方、ＴＭ７からＴＭ１０において、ＵＥ特有の復調リファレンス信号（ＤＭＲＳ）が復調するためのリファレンス信号として使用される。
【００１２】
＜チャネルステート情報リファレンス信号（ＣＳＩ−ＲＳ）＞
ＬＴＥリリース１０において、新たなチャネルステート情報リファレンス信号（ＣＳＩ−ＲＳ）がチャネルステート情報を推定することを意図して導入される。ＣＳＩ−ＲＳベースのＣＳＩフィードバックは、以前のリリースで使用されたＣＲＳベースのＣＳＩフィードバックよりも優れたいくつかの利点を提供する。第一に、ＣＳＩ−ＲＳはデータ信号の復調に用いられるのではなく、同一の密度を必要としない（すなわち、ＣＳＩ−ＲＳのオーバーヘッドは実質的に少ない）。第二に、ＣＳＩ−ＲＳはＣＳＩフィードバック測定を設定するためにより柔軟な手段を提供する（例えば、どのＣＳＩ−ＲＳリソースを測定するかは、ＵＥ特定のやり方で設定することができる）。
【００１３】
２種類のＣＳＩ−ＲＳ、非ゼロ電力（ＮＺＰ）ＣＳＩ−ＲＳおよびゼロ電力（ＺＰ）ＣＳＩ−ＲＳ、がＬＴＥで定義される。ＮＺＰ  ＣＳＩ−ＲＳは、ＵＥがネットワークノードへのダウンリンクチャネルを推定するためにネットワークノード（またはｅＮＢ）によって送信される。ＺＰ  ＣＳＩ−ＲＳに対して、１つ以上のＣＳＩ−ＲＳリソースがネットワークノードよって割当てられる一方、隣接セルにおけるＵＥによってよりよいチャネル推定が可能になるように、隣接セルへの干渉を減らすために用いられることができるように、リソースでは何も送信されない。
【００１４】
リリース１３のＵＥに対して、サポートされるアンテナポートの数は１、２、４、８、１２、１６である。リリース１４において、アンテナポートの数は２０、２４、２８、３２個のポートを含むように増加される。図５はＰＲＢにおけるＣＳＩ−ＲＳ割り当てのために利用可能なＲＥを示す。最大４０個のＲＥがＣＳＩ−ＲＳのために設定されうる。ＣＳＩ−ＲＳが全てのＰＲＢで送信される。ＣＳＩ−ＲＳ信号はシステム帯域あの全てのＲＢで送信され、全てのＲＢにおいて同一のリソース割当てが繰り返される。リリース１４のＬＴＥでは、ＣＳＩ−ＲＳが低密度で送信されうることもサポートされる。すなわち、異なるポートに対応するＣＳＩ−ＲＳ信号がすべてのＮ番目のＰＲＢで送信される。
【００１５】
ＣＳＩ−ＲＳは定期的に所定のサブフレームで送信され、ＣＳＩ−ＲＳサブフレームと呼ばれる。ＣＳＩ−ＲＳサブフレーム設定はサブフレーム周期とサブフレームオフセットとを含む。この周期は５、１０、２０、４０、および８０ｍｓで設定可能である。ＣＳＩ−ＲＳ設定は３ＧＰＰ  ＴＳ  ３６．２１１の表６．１０．５．２−１で特定されたＣＳＩ−ＲＳリソース設定および３ＧＰＰ  ＴＳ  ３６．２１１の表６．１０．５．３−１で特定されたＣＳＩ−ＲＳサブフレーム設定を含む。
【００１６】
＜コードブックベースのチャネルステート情報（ＣＳＩ）推定およびフィードバック＞
ＴＭ９およびＴＭ１０の閉ループの多入力多出力（ＭＩＭＯ）伝送方式において、ＵＥはダウンリンクＣＳＩを推定してｅＮＢへフィードバックする。ｅＮＢはフィードバックＣＳＩを使用してダウンリンクデータをＵＥに送信する。ＣＳＩは送信ランクインジケータ（ＲＩ）、プリコーディングマトリックスインジケータ（ＰＭＩ）およびチャネル品質インジケータ（ＣＱＩ）を含む。プリコーディングマトリクスのコードブックは、ＵＥによって、例えばＵＥスループットなどの所定の基準に基づいて、推定されたダウンリンクチャネルとコードブック内のプリコーディングマトリクスとの間で最良のマッチングを見つけるために使用される。チャネルは、ＴＭ９およびＴＭ１０のためにダウンリンクで送信された非ゼロ電力ＣＳＩリファレンス信号（ＮＺＰ  ＣＳＩ−ＲＳ）に基づいて推定される。
【００１７】
ＣＱＩ／ＲＩ／ＰＭＩはともにダウンリンクチャネルステートをＵＥに提供する。これは、チャネルの推定値Ｈnが直接的にはフィードバックされないため、暗示的なＣＳＩフィードバックとしても呼ばれる。ＣＱＩ／ＲＩ／ＰＭＩはどちらの報告モードが設定されるかに応じて、広帯域（すなわち、送信帯域の全体）またはサブバンド（すなわち、送信帯域全体の一部）でありうる。
【００１８】
リリース１３のＬＴＥにおいて、２種類のＣＳＩ報告、クラスＡおよびクラスＢが導入された（３ＧＰＰ  ＴＳ  ３６．２１３  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １３）；  Ｖ１３．０．１  （２０１６−０１））。クラスＡのＣＳＩ報告において、ＵＥは設定された８、１２、または１６のアンテナポートを有する１Ｄまたは２Ｄアンテナアレイについて新たなコードブックに基づいてＣＳＩを測定して報告する。ＣＳＩは、リリース１３以前のＣＳＩ報告と同様に、ランクインジケータ（ＲＩ）、ＰＭＩおよびＣＱＩを含む。クラスＡのＣＳＩ報告はＬＴＥ  リリース１４においては２０、２４、２８、および３２ポートにまで拡張される。
【００１９】
クラスＢのＣＳＩ報告において、１つのシナリオ（「クラスＢ  Ｋ＞１」と呼ぶ）において、複数（すなわちＫ＞１）のＣＳＩ−ＲＳリソースが単一のＣＳＩプロセスのＵＥのために設定されうる。各リソースは複数のアンテナポート（すなわち、１、２、４、または８ポート）に対するものであってもよい。各ＣＳＩ−ＲＳリソースはプリコードされたＣＳＩ−ＲＳ信号に関連付けられてもよい。ＵＥは全てのＣＳＩ−ＲＳリソースに関連付けられたダウンリンクＣＳＩを測定し、全てのＣＳＩの中で最良のＣＳＩを選択する。ＵＥは選択したＣＳＩ−ＲＳリソースインデックス（ＣＳＩ）および対応するＣＳＩを報告する。別のシナリオ（「クラスＢ  Ｋ＝１」と呼ぶ）において、ＵＥは１つのＣＳＩ−ＲＳリソースで設定され、ＣＳＩ−ＲＳ信号は、アップリンク（ＵＬ）測定値などのなんらかの事前情報に基づいて、特にＵＥに対して、プリコードされ、または「ビームフォーミング」されてもよい。続いて、ＵＥはＣＳＩ−ＲＳリソース上で受信したＣＳＩ−ＲＳ信号に基づいてダウンリンクチャネルを測定し、推定したＣＳＩを２、４、８ポートのための新たなコードブックに基づいてｅＮＢにフィードバックする。
【００２０】
＜ＣＳＩプロセス＞
ＬＴＥリリース１１において、各ＣＳＩプロセスがＮＺＰ  ＣＳＩ−ＲＳリソースおよびＣＳＩ−ＩＭリソースに関連付けられるように、ＣＳＩプロセスのコンセプトが導入された。ＣＳＩ−ＩＭリソースはＺＰ  ＣＳＩ−ＲＳリソースおよびＺＰ  ＣＳＩ−ＲＳサブフレーム設定によって定義される。ＴＭ１０のＵＥは、上位レイヤによってサービングセルごとに１つ以上の（最大４つの）ＣＳＩプロセスで設定され、ＵＥによって報告される各ＣＳＩはＣＳＩプロセスに対応する。複数のＣＳＩプロセスは、ＵＥが各送信ポイント（ＴＰ）に関連付けられたＣＳＩを測定し、ｅＮＢにフィードバックする、協調マルチポイント（ＣＯＭＰ）送信をサポートするために導入された。受信したＣＳＩに基づいて、ｅＮＢはＴＰの内の１つからＵＥへデータを送信するよう判定する。
【００２１】
＜ＣＳＩ報告＞
ＣＳＩ報告のために、周期的および非周期的な（すなわち、ｅＮＢによってトリガされる）報告がサポートされ、それぞれＰ−ＣＳＩおよびＡ−ＣＳＩとして知られる。ＣＳＩプロセスにおいて、ＵＥが測定を実行するＣＳＩ−ＲＳポートのセットが設定される。これらのＣＳＩ−ＲＳポートは５ｍｓ、１０ｍｓ、２０ｍｓ、などの周期で定期的に送信されうる。
【００２２】
＜制御信号のためのＬＴＥメカニズム＞
ＬＴＥ制御信号は、制御情報のＰＤＣＣＨまたはＰＵＣＣＨ上での搬送、ＰＵＳＣＨ、ＭＡＣ制御エレメント（「ＭＡＣ  ＣＥ」）、またはＲＲＣシグナリングへの埋め込みを含む、様々な方法で搬送されうる。これらのメカニズムのそれぞれは、特定の種類の制御情報を搬送するようカスタマイズされる。
【００２３】
ＰＤＣＣＨ、ＰＵＣＣＨ上で搬送される、またはＰＵＳＣＨに埋め込まれる制御情報は、３ＧＰＰ  ＴＳ  ３６．２１１，  ３６．２１２，  ３６．２１３に説明されるような、ダウンリンク制御情報（ＤＣＩ）、アップリンク制御情報（ＵＣＩ）のような、物理層に関連する制御情報である。ＤＣＩは、一般的にいくつかの物理層の機能を実行するようＵＥに指示するために使用され、機能を実行するために必要な情報を提供する。ＵＣＩは一般的に、ＨＡＲＱ−ＡＣＫ、スケジューリング要求（ＳＲ）、ＣＱＩ，ＰＭＩ、ＲＩ，および／またはＣＲＩを含むチャネルステート情報（ＣＳＩ）のような必要な情報をネットワークに提供する。ＵＣＩおよびＤＣＩは、サブフレームごとに送信されてもよく、したがって、高速フェージングの無線チャネルで変化し得るものを含む、急速に変化するパラメータをサポートするように設計されている。ＵＣＩおよびＤＣＩがサブフレームごとに送信されうるため、所与のセルに対応するＵＣＩまたはＤＣＩは、制御オーバーヘッドの量を制限するために、数十ビット程度である傾向がある。
【００２４】
ＭＡＣ  ＣＥで搬送される制御情報は、３ＧＰＰＴＳ３６．３２１（３ＧＰＰ  ＴＳ  ３６．３２１  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ  （Ｒｅｌｅａｓｅ  １３）；  Ｖ１３．２．０  （２０１６−０６））で説明されるように、アップリンクおよびダウンリンク共有トランスポートチャネル（ＵＬ−ＳＣＨおよびＤＬ−ＳＣＨ）上のＭＡＣヘッダで搬送される。ＭＡＣヘッダが固定のサイズを有していないため、ＭＡＣ  ＣＥの制御情報は必要な時に送られ、そのため必ずしも固定オーバーヘッドを表すわけではない。さらに、ＭＡＣ  ＣＥは、ＵＬ−ＳＣＨまたはＤＬ−ＳＣＨトランスポートチャネルで搬送されるため、より大きな制御ペイロードを効率的に搬送することができ、リンク適合、ＨＡＲＱの恩恵を受け、ターボ符号化されることができる（ＵＣＩおよびＤＣＩはリリース１３ではない）。ＭＡＣ  ＣＥは、タイミングアドバンスの維持またはバッファステータスの報告のような、パラメータの固定セットを使用する反復的なタスクを実行するために使用されるが、これらのタスクは一般にサブフレームごとのＭＡＣ  ＣＥの送信を必要としない。結果的に、ＰＭＩ、ＣＱＩ、ＲＩ、およびＣＲＩのような高速フェージングの無線チャネルに関連するチャネルステート情報は、リリース１３のＭＡＣ  ＣＥでは搬送されない。
【００２５】
＜レートマッチング＞
ＬＴＥにおいて、仮想巡回バッファは、バッファ内のビットを選択または切り落とす（プルーニング）ことによって、任意の利用可能な符号レートにマッチングするために使用される。サブフレーム内でＵＥに対して利用可能なＲＥの数が、様々なリファレンス信号の有無によって変化しうるため、このレートマッチングが有用である。例えば、ＣＳＩ−ＲＳで設定される、サブフレーム内のＰＤＳＣＨのためのＲＥの数は、ＣＳＩ−ＲＳがないサブフレーム内のそれとは異なるであろう。レートマッチングは、この場合に利用可能なＰＤＳＣＨ  ＲＥの変動に適応するために用いられることができる。なお、この場合、ｅＮＢおよびＵＥが利用可能なＰＤＳＣＨ  ＲＥの正確な数とＲＢにおけるＲＥのロケーションを知っている。そうでなければ、ＰＤＳＣＨが送信されるＲＥと、ＰＤＳＣＨが受信され復号されるＲＥとの間に不一致がある可能性があるので、このＰＤＳＣＨからＲＥへのマッピング情報は、正しいＰＤＳＣＨ復号化にとって重要である。
【００２６】
＜ＤＣＩ  ２ＤのＰＱＩビット＞
ＬＴＥ  リリース１１において、所与のサービングセルに対して送信モード１０に設定されているＵＥは、ＵＥおよび所与のサービングセルを対象とするＤＣＩフォーマット２Ｄの、検出されたＰＤＣＣＨ  ／  ＥＰＤＣＣＨに従ってＰＤＳＣＨを復号するための上位レイヤのシグナリングによって最大４つのパラメータセットで設定されうる。これは、ｅＮＢはチャネル状態に基づいて、異なる送信ポイント（ＴＰ）を介して異なる回数ＵＥにＰＤＳＣＨを送信しうるためである。異なるＴＰに対して設定された異なるリファレンス信号がありうる。ＵＥは、正しいＰＤＳＣＨ  ＲＥマッピングを判定するためのＤＣＩフォーマット２Ｄで検出されたＰＤＣＣＨ／ＥＰＤＣＣＨ内の、（ＴＳ  ３６．２１３の表７．１．９−１から抽出した表１で定義される）「ＰＤＳＣＨ  ＲＥマッピングおよび疑似コロケーションインジケータ」（ＰＱＩ）フィールドの値に従い設定されたパラメータを用いるべきである。動的ポイント選択（ＤＰＳ）は、データ送信が単一のＴＰからであるが所与の時間内に送信するＴＰが動的に変化する可能性がある協調マルチポイントオペレーション（ＣｏＭＰ）の形態である。
【００２７】
ＵＥがＰＤＳＣＨを受信することができるＤＰＳによるＣｏＭＰをサポートするために、ＤＣＩフォーマット２Ｄの２つの「ＰＱＩ」ビットは、ＰＤＳＣＨマッピングおよび疑似コロケーション（ＱＣＬ）情報の動的シグナリングに利用可能である。この動的なシグナリングは、送信パラメータおよびＵＥ  ＱＣＬの仮定の調整を目的とし、ＤＰＳでのＰＤＳＣＨの送信元である潜在的に動的に変化するＴＰと互換性を持たせる。
【００２８】
ＱＣＬ情報は、ＱＣＬ特性に関して、ＤＭＲＳ型のＰＤＳＣＨ送信の復調を助けるために、ＵＥがＣＲＳおよびＣＳＩ−ＲＳを活用する可能性を提供する。ＱＣＬ特性は、チャネルのどの特性が異なるアンテナポート間で関連しているとＵＥによって想定され得るか、およびそれらがＴＭ１０についてのものであるかを明確にする。
【００２９】
ＰＤＳＣＨ  ＲＥマッピングを判定するためのパラメータは、以下を含む、各パラメータセットに対する上位レイヤのシグナリングを介して設定される。
【００３０】
−ＣＲＳポートの数
−ＣＲＳ周波数シフト
−ＺＰ  ＣＳＩ−ＲＳ設定
【００３１】
【表１】
0006785370.tif 000002
【００３２】
＜パンクチャリング＞
パンクチャリングは、ＵＥがサブフレーム内の特定のリファレンス信号の存在に気づいていない際に利用可能なＲＥの変動に対処するための別の方法であってもよい。例えば、ＣＳＩ−ＲＳはＬＴＥ  リリース１０で導入され、リリース８は理解しない。そのため、リリース８がＣＳＩ−ＲＳで設定されたサブフレームでＰＤＳＣＨをスケジューリングされた場合、ＵＥは、ＣＳＩ−ＲＳで実際に設定されたＲＥ上でＰＤＳＣＨが送信されると考える。この場合、ｅＮＢはこれらのＲＥでのＰＤＳＣＨの送信には沈黙し、またはＲＥにおいてＰＤＳＣＨ信号をパンクチャリングし、ＵＥは受信したＣＳＩ−ＲＳをＰＤＳＣＨとして扱う。当然ながら、復号性能は低下するであろう。しかしながら、ＲＥの数が小さい限り、この低下はまだ許容可能であってもよい。
【００３３】
＜非周期的なＣＳＩ−ＲＳ＞
３ＧＰＰ  ＲＡＮ１  ＃８６会議は、非周期的なＣＳＩ−ＲＳを導入することに同意し、ここでは、ＣＳＩ−ＲＳリソースのみがＵＥに対して設定され、従来のＣＳＩ−ＲＳ設定とは異なり、それに関連するサブフレーム設定は存在しない。新しい「非周期的なＣＳＩ−ＲＳリソース設定ＩＥ」が無線リソース制御（ＲＲＣ）設定において定義されることになることが合意された。ＵＥがＫ∈｛１，２、...、８｝個のＣＳＩ−ＲＳリソースを用いてあらかじめ設定されうることがさらに合意された。
【００３４】
非周期的なＣＳＩ−ＲＳのための動機の１つが、ＣＳＩ−ＲＳの送信は、ＵＥがダウンリンクＣＳＩを測定してフィードバックするために任意のサブフレームで発生する可能性があり、それは１組のあらかじめ設定されたサブフレームに限定される必要がないことである。別の動機は、多数のＵＥの存在において、ＣＳＩ−ＲＳのオーバーヘッドを低減させることができることである。例えば、多数のＵＥが存在する場合、ＵＥ固有のやり方で各ＵＥに周期的なＣＳＩ−ＲＳリソースを割り当てることは、多数のＲＥを消費し、ＣＳＩ−ＲＳオーバーヘッドを増加させるであろう。ＣＳＩ−ＲＳオーバーヘッドは、プールが最大Ｋ個のリソースを含むことができるＣＳＩ−ＲＳリソースプールを有する非周期的なＣＳＩ−ＲＳによって低減することができる。複数のＣＳＩ−ＲＳリソースを含むＣＳＩ−ＲＳリソースプールは、共通のＣＳＩ−ＲＳリソースプールを共有することによって、異なるＵＥを対象とする、あらかじめ符号化（プリコード）されたまたはビームフォーミングされたＣＳＩ−ＲＳが異なるサブフレームで送信されうる、ＵＥのグループ間で共有できる。ＣＳＩ−ＲＳおよびＣＳＩ測定要求の存在は、ＣＳＩ測定および報告のためのターゲットＵＥへのアップリンクデータ許可メッセージなどのＤＣＩにおいて動的にトリガされることができる。この例を図６に示す。動的な非周期的なＣＳＩ−ＲＳのインジケーションにおいて、ＵＥはインジケーションを受信したサブフレーム内のＣＳＩを測定するように指示され、あらかじめ設定されたＣＳＩ−ＲＳリソースのうちのどれに対してＣＳＩを測定すべきかを指示される。ＵＥは指示されたＣＳＩ−ＲＳリソース上のＣＳＩを測定し、ＵＥへＣＳＩをフィードバックする。
【００３５】
いくつかの場合において、例えば負荷が変動している場合、Ｋ個のあらかじめ設定されたＣＳＩ−ＲＳリソースの全てが必要とされているわけではない。さらに、この場合、Ｎ＜Ｋ個のＣＳＩ−ＲＳリソースは、システム内の変動する負荷に対処するために、より動的な方法でアクティブ化されてもよい。Ｋ個のＣＳＩ−ＲＳリソースのうちのＮ個がＵＥにおいてアクティブ化される場合、ＵＥは、Ｎ個のアクティブ化されたＣＳＩ−ＲＳリソースのうちの１つにおいて非周期的ＣＳＩ−ＲＳを受信することを期待することができる。Ｋ個のリソースのうちのＮ個のアクティブ化はＭＡＣ  ＣＥまたはＤＣＩシグナリングを介して行われうる。
【００３６】
この非周期的ＣＳＩ−ＲＳ送信に関する１つの問題は、サブフレーム内の正しいＰＤＳＣＨ  ＲＥマッピング、または正しいＰＤＳＣＨのレートマッチングを判定するために、サブフレーム内のＰＤＳＣＨでスケジューリングされたＵＥに他のＵＥへの非周期的ＣＳＩ−ＲＳ送信についてどのように通知するかである。この問題は既に認識され、複数のありうる解決法が提案されている（Ｃｈａｉｒｍａｎ’ｓ  ｎｏｔｅｓ，  ３ＧＰＰ  ＲＡＮ１＃８６，ｓｅｃｔｉｏｎ  ７．２．４．１．２，  Ａｕｇｕｓｔ  ２２−２６，２０１６．  Ｇｏｔｈｅｎｂｕｒｇ，  Ｓｗｅｄｅｎ）。
【００３７】
代替案１：新たな共通ＤＣＩによって動的に指示される非周期的なＺＰ  ＣＳＩ−ＲＳ。共通ＤＣＩは共通探索スペースでモニタされる。
【００３８】
代替案２：非周期的なＺＰ  ＣＳＩ−ＲＳリソースのシグナリングフィールドが全てのＴＭに対するＤＬ  ＤＣＩに導入される非周期的なＺＰ  ＣＳＩ−ＲＳ
代替案３：ＴＭ１０に対する既存のＰＱＩステートを使用する、またはＰＱＩステートの数を増加させる：他のＴＭに対するＰＤＳＣＨ  ＲＭの解決法はない。この場合、非周期的なＺＰ  ＣＳＩ−ＲＳリソースは定義されない。
さらに、これはＲ１−１６７１３８およびＲ１−１６６８４１（３ＧＰＰ  ＴＳＧ  ＲＡＮ  ＷＧ１  ｍｅｅｔｉｎｇ＃８６（２２ｎｄ−２６ｔｈ  Ａｕｇｕｓｔ，  ２０１６，  Ｇｏｔｈｅｎｂｕｒｇ，  Ｓｗｅｄｅｎ））で議論された。
【発明の概要】
【００３９】
本明細書に提示される実施形態の目的は、レートマッチングのための低い制御シグナリングオーバーヘッドを保証することである。
【００４０】
第１の態様によれば、ＰＤＳＣＨレートマッチングを容易にするための方法が提示される。方法はネットワークノードで実行され、無線装置に、非周期的なＣＳＩ−ＲＳリソースプールの全ての利用可能なリソースのグループが所与のサブフレームで使用されるか否かの指示を送ることを含む。送ることは、送信モード９の無線装置へ、ＣＳＩ−ＲＳリソースの判定された使用を表す２つの付加ビットの値で、ダウンリンク制御情報（ＤＣＩ）フォーマット２Ｃのメッセージを送信することを含む。
【００４１】
方法は、あらかじめ設定された第１部分、あらかじめ設定された第２部分へのグループの分割を取得することと、全ての利用可能な非周期的なＣＳＩ−ＲＳリソースの第１部分、第２部分、またはグループが所与のサブフレームで使用されるかどうかの指示を無線装置に送ることと、無線装置のＰＤＳＣＨのレートマッチングを可能にすることと、をさらに含んでもよい。第１部分は前半であり、第２部分は後半であってもよい。
【００４２】
無線装置における非周期的なＺＰ  ＣＳＩ−ＲＳ設定のセットは、非周期的なＣＳＩ−ＲＳリソースプールと重複するリソースを含んでもよい。
【００４３】
指示は、使用される非周期的なＣＳＩ−ＲＳリソースがないことをさらに表してもよい。
【００４４】
２つの付加ビットは値が００，０１，１０，１１である４つの状態を表してもよい。
【００４５】
第２の態様によれば、ＰＤＳＣＨレートマッチングを容易にするための方法が提示される。方法は無線装置で実行され、ネットワークノードから、非周期的なＣＳＩ−ＲＳリソースプールの全ての利用可能なリソースのグループが所与のサブフレームで使用されるかどうかの指示を受信することと、受信された指示によって指示されたグループで非周期的なＣＳＩ−ＲＳリソースの周辺でＰＤＳＣＨレートマッチングを適用することと、を含む。受信することは、送信モード９の無線装置から、ＣＳＩ−ＲＳリソースの判定された使用を表す２つの付加ビットの値でＤＣＩフォーマット２Ｃのメッセージを受信することを含んでもよい。
【００４６】
方法はさらに、ネットワークノードから、全ての利用可能な非周期的なＣＳＩ−ＲＳリソースのあらかじめ設定された第１部分、あらかじめ設定された第２部分、またはグループが所与のサブフレームで使用されるかどうかの指示を受信することと、受信された指示によって指示された全ての利用可能なリソースのあらかじめ設定された第１部分、あらかじめ設定された第２部分、またはグループにおけるＣＳＩ−ＲＳリソースの周辺でＰＤＳＣＨレートマッチングを適用することと、を含む。第１部分は前半であり、第２部分は後半であってもよい。
【００４７】
無線装置における非周期的なＺＰ  ＣＳＩ−ＲＳ設定のセットは、非周期的なＣＳＩ−ＲＳリソースプールと重複するリソースを含んでもよい。
【００４８】
２つの付加ビットは値が００，０１，１０，１１である４つの状態を表してもよい。
【００４９】
第３の態様によれば、ＰＤＳＣＨレートマッチングを容易にするためのネットワークノードが提示される。ネットワークノードは、プロセッサと、プロセッサによって実行されたときに、非周期的ＣＳＩ−ＲＳリソースプールの利用可能なすべてのリソースのグループが所定のリソースグループ内で使用されるかどうかの指示を無線装置に送信する命令を格納するコンピュータプログラム製品とを備える。送ることは、送信モード９の無線装置へ、ＣＳＩ−ＲＳリソースの判定された使用を表す付加ビットの値でＤＣＩフォーマット２Ｃのメッセージを送信することを含んでもよい。
【００５０】
第４の態様によれば、ＰＤＳＣＨレートマッチングを容易にするための無線装置が提示される。無線装置はプロセッサと命令を格納するコンピュータプログラム製品を含み、コンピュータプログラム製品は、プロセッサによって実行された際に、無線装置に、ネットワークノードから非周期的なＣＳＩ−ＲＳリソースプールの全ての利用可能なリソースのグループが所与のサブフレームで使用されるかどうかの指示を受信させ、受信された指示によって指示されたグループでＰＤＳＣＨレートマッチングを適用させる。受信することは、送信モード９のネットワークノードから、判定されたＣＳＩ−ＲＳリソースの使用を表す２つの付加ビットの値で、ダウンリンク制御情報（ＤＣＩ）フォーマット２Ｃのメッセージを受信することを含んでもよい。
【００５１】
第５の態様によれば、ＰＤＳＣＨレートマッチングを容易にするためのネットワークノードが提示される。ネットワークノードは、無線装置に、非周期的なＣＳＩ−ＲＳリソースプールの全ての利用可能なリソースのグループが所与のサブフレームで使用されるか否かの指示を送るための通信管理部を含む。送ることは、送信モード９の無線装置へ、ＣＳＩ−ＲＳリソースの判定された使用を表す付加ビットの値でＤＣＩフォーマット２Ｃのメッセージを送信することを含んでもよい。
【００５２】
第６の態様によれば、ＰＤＳＣＨレートマッチングを容易にするための無線装置が提示される。無線装置は、ネットワークノードから、非周期的なＣＳＩ−ＲＳリソースプールの全ての利用可能なリソースのグループが所与のサブフレームで使用されるかどうかの指示を受信するための通信管理部と、受信された指示によって指示されたグループで非周期的なＣＳＩ−ＲＳリソースの周辺でＰＤＳＣＨレートマッチングを適用するための判定管理部と、を含む。受信することは、送信モード９のネットワークノードから、判定されたＣＳＩ−ＲＳリソースの使用を表す２つの付加ビットの値で、ダウンリンク制御情報（ＤＣＩ）フォーマット２Ｃのメッセージを受信することを含んでもよい。
【００５３】
第７の態様によれば、ＰＤＳＣＨレートマッチングを容易にするためのコンピュータプログラムが提示される。コンピュータプログラムは、ネットワークノードで実行された際に、無線装置へ非周期的なＣＳＩ−ＲＳリソースプールの全ての利用可能なリソースのグループが所与のサブフレームで使用されるか否かの指示をネットワークノードに送らせるコンピュータプログラムコードを含む。送ることは、送信モード９の無線装置へ、ＣＳＩ−ＲＳリソースの判定された使用を表す付加ビットの値でＤＣＩフォーマット２Ｃのメッセージを送信することを含んでもよい。
【００５４】
第８の態様によれば、ＰＤＳＣＨレートマッチングを容易にするためのコンピュータプログラムが提示される。コンピュータプログラムは、無線装置で実行された際に、無線装置に、ネットワークノードから非周期的なＣＳＩ−ＲＳリソースプールの全ての利用可能なリソースのグループが所与のサブフレームで使用されるかどうかの指示を受信させ、受信された指示によって指示されたグループで非周期的なＣＳＩ−ＲＳリソースの周辺でＰＤＳＣＨレートマッチングを適用させる、コンピュータプログラムコードを含む。受信することは、送信モード９のネットワークノードから、判定されたＣＳＩ−ＲＳリソースの使用を表す２つの付加ビットの値で、ダウンリンク制御情報（ＤＣＩ）フォーマット２Ｃのメッセージを受信することを含んでもよい。
【００５５】
第９の態様によれば、コンピュータプログラムと、コンピュータプログラムが格納されるコンピュータ可読記憶媒体とを含むコンピュータプログラム製品が提示される。
【００５６】
第１０の態様によれば、ＰＤＳＣＨレートマッチングを容易にするための方法が提示される。方法はネットワークノードで実行され、無線装置に、非周期的なＣＳＩ−ＲＳリソースプールのうちの利用可能なリソースの指示であって、ＣＳＩ−ＲＳを含むリソースとＰＤＳＣＨを含まないリソースとを識別する指示を送ることを含む。送ること１０２は、送信モード９の無線装置へ、ＣＳＩ−ＲＳリソースの判定された使用を表す付加ビットの値でＤＣＩフォーマット２Ｃのメッセージを送信することを含む。
【００５７】
一般的に、特許請求の範囲で使用される全ての用語は、本明細書で明示的に定義されない限り、技術分野における通常の意味に従って解釈されるべきである。「要素、装置、コンポーネント、手段、ステップ、等」への参照は、明示的な言及がない限り、要素、装置、コンポーネント、手段、ステップ、等のインスタンスの少なくとも１つに言及しているものとして率直に解釈されるべきである。本明細書で開示される任意の方法のステップは、明示的な言及がない限り、開示された通りの順番で実行されなければならないわけではない。
【図面の簡単な説明】
【００５８】
本発明は、添付の図面を参照して例として説明される。
【図１】本明細書で提示される実施形態が適用されうる環境を示す概略図。
【図２】ＬＴＥダウンリンク物理リソースを示す概略図。
【図３】ＬＴＥ時間ドメインの構造を示す概略図。
【図４】ダウンリンクサブフレームを示す概略図。
【図５】ＣＳＩ−ＲＳサブフレーム内のＰＲＢにおけるＣＳＩ−ＲＳ割り当てのために利用可能なリソースを示す概略図。
【図６】非周期的なＣＳＩ−ＲＳ送信を示す概略図。
【図７】Ｋ＝８の動的ハーフプールリソース指示の一例を示す図。
【図８】完全な動的と動的なハーフプールリソース指示とのオーバーヘッドの比較を示す概略図。
【図９】完全に動的なリソース指示のオーバーヘッドの節約を示す概略図。
【図１０Ａ】本明細書で提示される実施形態の方法を示すフローチャート。
【図１０Ｂ】本明細書で提示される実施形態の方法を示すフローチャート。
【図１１Ａ】本明細書で提示される装置のいくつかの構成要素を示す概略図。
【図１１Ｂ】本明細書で提示される装置のいくつかの構成要素を示す概略図。
【図１２Ａ】本明細書で提示される装置の機能モジュールを示す概略図。
【図１２Ｂ】本明細書で提示される装置の機能モジュールを示す概略図。
【発明を実施するための形態】
【００５９】
本発明の所定の実施形態が示されている添付の図面を参照して、本発明が以下により詳細に説明される。しかしながら、本発明は、多くの異なる形態で具体化することができ、そして本明細書に記載の実施形態に限定されると解釈されるべきではない。むしろ、これらの実施形態は、この開示が徹底的かつ完全であり、そして本発明の範囲を当業者に十分に伝えるように、例として提供される。同様の番号は、本開示全体を通して同様のエレメントを指す。
【００６０】
本開示において、本発明の例示を行うために、３ＧＰＰのＬＴＥからの用語が使用されているが、これは本発明の範囲を上記のシステムのみに限定するものとみなすべきではない。Ｗｉｄｅ  Ｂａｎｄ  Ｃｏｄｅ  Ｄｉｖｉｓｉｏｎ  Ｍｕｌｔｉｐｌｅ  Ａｃｃｅｓｓ（ＷＣＤＭＡ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、ウルトラモバイルブロードバンド（ＵＭＢ）、およびグローバル移動体通信システム（ＧＳＭ）を含む他の無線システムもまた、本開示に含まれるアイデアを活用することで利益を得てもよい。
【００６１】
ｅＮｏｄｅＢおよびＵＥなどの用語は、限定的ではないものと見なされるべきであり、特にこれら２つの間の所定の階層的関係を暗示するものではない。一般に、「ｅＮｏｄｅＢ」は第１の機器と考えられ、「ＵＥ」は第２の機器と考えられ、これら２つの機器はある無線チャネルを介して互いに通信する。ここで、我々はダウンリンクにおける無線伝送に焦点を合わせるが、本発明はアップリンクにおいても同様に適用可能である。
【００６２】
非周期的なチャネル状態情報参照信号（ＣＳＩ−ＲＳ）リソースの利用効率を改善すると同時に平均ＣＳＩトリガ遅延を減少させるために（詳細はＲ１−１６７６３７，  ＵＥ  ｓｐｅｃｉｆｉｃ  Ｂｅａｍｆｏｒｍｉｎｇ  ｗｉｔｈ  Ａｐｅｒｉｏｄｉｃ  ＣＳＩ−ＲＳ  Ｔｒａｎｓｍｉｓｓｉｏｎ”，  Ｅｒｉｃｓｓｏｎ，  ３ＧＰＰ  ＴＳＧ−ＲＡＮ  ＷＧ１  ＃８６，  Ｇｏｔｈｅｎｂｕｒｇ，  Ｓｗｅｄｅｎ，  Ａｕｇｕｓｔ  ２２−２６，  ２０１６を参照）、Ｋ個の非周期的なＣＳＩ−ＲＳリソースが複数のＵＥの間で動的に共有される必要がある。
【００６３】
Ｋ個のうちのＫ’個の非周期的ＣＳＩ−ＲＳリソースは、所与のサブフレームｎにおけるセル内のＫ’個のＵＥへの非周期的なＣＳＩ−ＲＳ送信をトリガするために用いられると仮定する。次に、サブフレームｎにおいてデータ（すなわちＰＤＳＣＨ）送信を受信し、非周期的なＣＳＩ−ＲＳを受信しないＵＥのために、物理ダウンリンク共有チャネル（ＰＤＳＣＨ）レートマッチングのためのアプローチの１つは、サブフレームｎにおいて使用されるＫ’個の非周期的なＣＳＩ−ＲＳリソースのセットを動的に示すことである。次に、これらのＵＥは、サブフレームｎにおいて使用されるＫ’個の非周期的なＣＳＩ−ＲＳリソースの周りでＰＤＳＣＨのレートマッチングを行うことができる。このアプローチの欠点の１つは、Ｋ個のリソースの内のＫ’個の非周期的なＣＳＩ−ＲＳの組み合わせの数が大きくなりうることである。Ｋ＝８の場合について、Ｋ個の非周期的なＣＳＩ−ＲＳリソースの内のＫ’個の非周期的なＣＳＩ−ＲＳの組み合わせの数を表２に示す。表において、ｎｃｈｏｏｓｅｋ（Ｋ，Ｋ’）はＫ個のリソースの内のＫ’個のリソースを選択するための異なる数の組み合わせを示し、一般的には
0006785370.tif 000003
で表される。
【００６４】
【表２】
0006785370.tif 000004
【００６５】
所与のサブフレームｎで使用される非周期的なＣＳＩ−ＲＳリソースの数Ｋ’はＰＤＳＣＨを受信する（そしてサブフレームｎにおいて非周期的なＣＳＩ−ＲＳ送信を受信しない）ＵＥには知られていないので、Ｋ個の非周期的なＣＳＩ−ＲＳリソースのうちのどのＫ’個がサブフレームｎにおいて使用されるかを完全に動的に示すためにｌｏｇ２｛ｎｃｈｏｏｓｅｋ（Ｋ，Ｋ’）｝個のビットが必要とされる。例えば、表２から、Ｋ’＝４の場合に最大の数である７０個の組み合わせが見られる。ここで、
0006785370.tif 000005
＝７個のビットが、サブフレーム７で使用されるＫ個の非周期的なＣＳＩ−ＲＳリソースの内のどのＫ’個が使用されるかを完全に動的に示すために必要である。これは、ダウンリンク（ＤＬ）制御情報（ＤＣＩ）オーバーヘッドの大幅な増加に相当する。
【００６６】
ＰＤＳＣＨのレートマッチングの目的のために所与のサブフレームにおいて使用されるＫ個の非周期的なＣＳＩ−ＲＳリソースの内のどのＫ’個が使用されるかを完全に動的に示すために、ｌｏｇ２｛ｎｃｈｏｏｓｅｋ（Ｋ，Ｋ’）｝個のＤＬ  ＤＣＩビットが要求される。
【００６７】
Ｋ＝８個の非周期的なＣＳＩ−ＲＳリソースの場合、７個のＤＬ  ＤＣＩビットが必要であり、これはＤＬ  ＤＣＩオーバーヘッドの大幅な増加に相当する。
【００６８】
Ｃｈａｉｒｍａｎ'ｓ  ｎｏｔｅｓ，  ３ＧＰＰ  ＲＡＮ１＃８６，ｓｅｃｔｉｏｎ  ７．２．４．１．２，  Ａｕｇｕｓｔ  ２２−２６，２０１６．  Ｇｏｔｈｅｎｂｕｒｇ，  Ｓｗｅｄｅｎで特定され、上記で列挙された代替案に関して、代替案１および２の両方は、そのようなＤＬ  ＤＣＩオーバーヘッドの大きな増加を招くことになる。
【００６９】
非周期的なゼロ電力（ＺＰ）ＣＳＩ−ＲＳリソースシグナリングフィールドが全てのＴＭに対してＤＬ  ＤＣＩに導入される代替案２の場合、ＤＬ  ＤＣＩオーバーヘッドの増加は全てのＴＭに影響を与える。これは、非周期的なＣＳＩ−ＲＳが周期的なＣＳＩ−ＲＳよりもＣＳＩ−ＲＳオーバーヘッドの節約をあまりもたらさないような低中負荷状態において特に、ＤＬ  ＤＣＩオーバーヘッドの望ましくない増加をもたらす。このため、代替案２は好ましくない。
【００７０】
全てのＴＭについてＤＬ  ＤＣＩ内に非周期的なＺＰ  ＣＳＩ−ＲＳリソースシグナリングフィールドを導入することは、非周期的なＣＳＩ−ＲＳが周期的なＣＳＩ−ＲＳよりもＣＳＩ−ＲＳオーバーヘッドの節約をあまりもたらさないような中低負荷状態において特に、ＤＬ  ＤＣＩオーバーヘッドの望ましくない増加をもたらす。
【００７１】
共通探索スペースにおいて新たな共通ＤＣＩがモニタされる代替案１において、共通探索スペースにおけるブラインド復号の試行数は、非周期的ＣＳＩ−ＲＳがＣＳＩ−ＲＳオーバーヘッドの節約をあまりもたらさないような低中負荷条件においてさえも、ＵＥに対して増加するであろう。加えて、キャリアアグリゲーションの場合、共通探索スペースは、プライマリコンポーネントキャリア上の送信に対してのみ定義され、ＰＤＳＣＨレートマッチングに関して代替案１において提案された新しい共通ＤＣＩソリューションは、プライマリコンポーネントキャリアに対してのみ有用でありうる。したがって、キャリアアグリゲーションの場合には適切さが欠如し、それに関連するブラインド復号化の試みが増加するため、代替案１は好ましくない。
【００７２】
新たな共通ＤＣＩによって非周期的なＺＰ  ＣＳＩ−ＲＳを動的に指示することは、共通探索スペースにおけるブラインド検出の試みの試行回数の増加をもたらし、キャリアアグリゲーションの全ての場合に適用することができるわけではない。
【００７３】
代替案３に関して、ＴＭ１０のためのＰＱＩステートの数を増加させることは、ＤＣＩフォーマット２Ｄに関連付けられるオーバーヘッドを増加させうるため、望ましくない。例えば、上述したように７個のＤＬ  ＤＣＩビットを必要とするＫ＝８の非周期的なＮＺＰ  ＣＳＩ−ＲＳリソースの場合、所与のサブフレームにおいてＫ個の非周期的なＣＳＩ−ＲＳリソースのうちのどれが使用されるかを完全に動的に指示するために、付加的に５ビットがＰＱＩステートに追加される必要がある。
【００７４】
ＴＭ１０のためのＰＱＩステートの数を増加させることは、ＤＣＩフォーマット２Ｄのペイロードに付加的な５ビットが追加されることを必要とするため、ＰＤＳＣＨのレートマッチングのリソース指示には望ましくない。
【００７５】
非周期的なＣＳＩ−ＲＳは、複数のＵＥ間でＣＳＩ−ＲＳのプールを共有することによってＣＳＩ−ＲＳオーバーヘッドを削減するために使用され、ここでＣＳＩ−ＲＳは一般にＵＥ特有であり、サブフレームごとに変化してもよい。その性質により、この共有はＣＳＩ−ＲＳが送信される角度を最小にし、非周期的なＣＳＩ−ＲＳを送信するＴＰへのチャネルを測定する隣接ＴＰ内のＵＥの能力を厳しく制限し、非周期的なＣＳＩ−ＲＳをＤＰＳに不適当にする。結果として、ＤＰＳにおける非周期的なＣＳＩ−ＲＳのアプリケーションの利用例は限定される。従って、既存のＰＱＩビットは他の目的のために再使用されることができる。代替案３のオプションは、ＰＤＳＣＨのレートマッチングの指示のための２個の既存のＰＱＩビット（すなわち、４つの状態）を用いることである。しかしながら、Ｋ個のリソースからＫ’個のリソースを選択するための異なる組み合わせの数が非常に多い場合、サブフレームｎにおいてＫ個の非周期的なＣＳＩ−ＲＳリソースがどのように使用されているかを示すことは問題である。
【００７６】
１つの解決法では、送信モード１０のための既存のＰＱＩビットは、ＰＤＳＣＨレートマッチングの目的のために、所与のサブフレームにおけるＣＳＩ−ＲＳリソースプールの前半、後半、または全体が非周期的ＣＳＩ−ＲＳ送信に使用されるかどうかを示すために再利用される。新たな２個のビットフィールドが送信モード９のために導入される。
【００７７】
第２の解決法では、送信モード１０の既存のＰＱＩビット内の状態のうちの１つは、ＰＤＳＣＨレートマッチングの目的で、所与のサブフレーム内のＣＳＩ−ＲＳリソースプール全体が非周期的なＣＳＩ−ＲＳ送信に使用されるかどうかを示すために再利用される。新たな１個のビットフィールドが送信モード９のために導入される。
【００７８】
第３の解決法では、ｅＮｏｄｅＢによってサービス提供されるすべてのＵＥがＫ個の非周期的なＣＳＩ−ＲＳリソースの同じプールを用いて設定され、これらすべてのＵＥが同じＮ個のリソースをアクティブにする場合、ＰＤＳＣＨのレートマッチングは任意のサブフレーム内のＮ個のアクティブリソースの周囲で行われる。
【００７９】
提案方法の主な利点は、低い制御信号オーバーヘッドを確実にすることと、新たなＤＣＩを必要としないことである。
【００８０】
＜実施形態１＞
ＰＤＣＣＨのオーバーヘッドの観点からは、ＰＤＳＣＨのレートマッチングの目的のためのＣＳＩ−ＲＳリソースを指示するためのＤＣＩ  ２Ｄにおける４つの既存のＰＱＩ状態の再利用は、送信モード１０で設定されるＵＥにとってはより望ましい。しかしながら、ＤＣＩフォーマット２Ｄで利用可能なＰＱＩビットは２つ（したがって４つのＰＱＩ状態）しかないため、２つを超えるＣＳＩ−ＲＳリソースのＣＳＩ−ＲＳリソースプールに対するサブフレーム内にすべての可能な非周期的なＣＳＩ−ＲＳリソース設定を示すことは不可能である。
【００８１】
１つの解決法は、設定されたＫ＞１個のＮＺＰ  ＣＳＩ−ＲＳリソースのＣＳＩ−ＲＳリソースプールを２つのグループに分割することである。第１グループは最初の
0006785370.tif 000006
個の非周期的なＮＺＰ  ＣＳＩ−ＲＳリソースを含み、第２グループは最後のＫ−
0006785370.tif 000007
個の非周期的なＮＺＰ  ＣＳＩ−ＲＳリソースを含む。続いて、４つの既存のＰＱＩ状態は、以下のように所与のサブフレームにおいてＰＤＳＣＨレートマッチングを指示するために使用されることができる。
【００８２】
状態０：Ｋ個のリソースのいずれかにおいて非周期的なＣＳＩ−ＲＳ送信がない。
【００８３】
状態１：第１グループの少なくとも１つの非周期的なＣＳＩ−ＲＳリソースが非周期的なＣＳＩ−ＲＳ送信のために使用される。
【００８４】
状態２：第２グループの少なくとも１つの非周期的なＣＳＩ−ＲＳリソースが非周期的なＣＳＩ−ＲＳ送信のために使用される。
【００８５】
状態３：両方のグループが少なくとも１つの非周期的なＣＳＩ−ＲＳリソースが非周期的なＣＳＩ−ＲＳ送信のために使用される。
【００８６】
第１グループの少なくとも１つのＣＳＩ−ＲＳリソースがサブフレーム内の非周期的なＣＳＩ−ＲＳ送信のために使用される場合、状態１がサブフレーム内でスケジュールされたＰＤＳＣＨでＵＥにシグナリングされる。続いて、ＵＥは非周期的なＣＳＩ−ＲＳリソースのグループ全体の周辺でＰＤＳＣＨのレートマッチングを行う、すなわち、ＵＥは、ＣＳＩ−ＲＳリソースの第１グループに関連付けられたＲＥにＰＤＳＣＨがマッピングされていないと推測する。両方のグループが非周期的なＣＳＩ−ＲＳ送信のために使用される場合、状態３がサブフレーム内でスケジュールされたＰＤＳＣＨでＵＥにシグナリングされる。続いて、ＵＥはＫ個の非周期的なＣＳＩ−ＲＳリソースプール全体の周辺でＰＤＳＣＨのレートマッチングを行う、すなわち、ＵＥは、サブフレーム内のプールのＣＳＩ−ＲＳリソースの全てに関連付けられたＲＥにＰＤＳＣＨがマッピングされていないと推測する。
【００８７】
Ｋ＝８である動的なハーフプールのリソース指示のアプローチの例を図７に示す。
【００８８】
送信モード９について、同じ目的のために既存のＤＣＩ  ２Ｃへ２個の付加ビット、例えば値が００、０１、１０、１１、が付加される。２つのビットの４つの状態は、以下のように所与のサブフレームにおいてＰＤＳＣＨレートマッチングを指示するために使用されてもよい。
【００８９】
状態０：Ｋ個のリソースのいずれかにおいて非周期的なＣＳＩ−ＲＳ送信がない。
【００９０】
状態１：第１グループの少なくとも１つの非周期的なＣＳＩ−ＲＳリソースが非周期的なＣＳＩ−ＲＳ送信のために使用される。
【００９１】
状態２：第２グループの少なくとも１つの非周期的なＣＳＩ−ＲＳリソースが非周期的なＣＳＩ−ＲＳ送信のために使用される。
【００９２】
状態３：両方のグループが少なくとも１つの非周期的なＣＳＩ−ＲＳリソースが非周期的なＣＳＩ−ＲＳ送信のために使用される。
【００９３】
実施形態の一変形例において、ＵＥはＺＰ  ＣＳＩ−ＲＳ設定のセットで設定され、それらに関連付けられたサブフレーム設定はない（すなわち、ＺＰ  ＣＳＩ−ＲＳは非周期的であり、任意のサブフレームで発生しうる）。非周期的なＺＰ  ＣＳＩ−ＲＳ設定の第１セットは、第１グループの非周期的なＣＳＩ−ＲＳリソースと重複するリソースを含む。非周期的なＺＰ  ＣＳＩ−ＲＳ設定の第２セットは、第２グループの非周期的なＣＳＩ−ＲＳリソースと重複するリソースを含む。状態１が指示されると、ＵＥは非周期的なＺＰ  ＣＳＩ−ＲＳ設定の第１セットのリソースの周辺でＰＤＳＣＨをレートマッチングする。状態２が指示されると、ＵＥは非周期的なＺＰ  ＣＳＩ−ＲＳ設定の第２セットのリソースの周辺でＰＤＳＣＨをレートマッチングする。状態３が指示されると、ＵＥは非周期的なＺＰ  ＣＳＩ−ＲＳ設定の第１セットおよび第２セットの両方のリソースの周辺でＰＤＳＣＨをレートマッチングする。
【００９４】
以降、ＰＤＳＣＨレートマッチング情報を完全に動的に指示することに関連するデータオーバーヘッドを、上述した動的なハーフプールリソース指示アプローチのそれと比較する。ＰＤＳＣＨレートマッチング情報の完全に動的な指示は、ＰＱＩ状態の数が増加した代替案１、代替案２、および代替案３に対応する。動的なハーフプールリソース指示は既存のＰＱＩ状態を再利用する代替案３に対応する。
【００９５】
ＰＤＳＣＨレートマッチング情報を完全に動的に指示することに関連するオーバーヘッドと、Ｋ＝８の場合の動的なハーフプールリソース指示アプローチのそれとの比較を図７に示す。これらの結果は、パケットサイズが５００ｋバイトのＦＴＰトラフィックモデル１を使用して生成され、ＴＴＩあたりのアクティブＵＥの平均数が横軸に表示される。周期的なＣＳＩ−ＲＳが利用される場合に関連するオーバーヘッドは参照のために示される。非周期的なＣＳＩ−ＲＳごとに２つのポートが想定される。
【００９６】
図９から、高負荷の場合（非周期的なＣＳＩ−ＲＳの使用が周期的なＣＳＩ−ＲＳの使用に比べて有意なオーバーヘッドの節約をもたらす場合）において、ＰＤＳＣＨレートマッチング情報の完全に動的な指示はＰＤＳＣＨレートマッチングのための動的なハーフプールリソース指示よりわずか２〜４％のオーバーヘッド節約を達成する。動的ハーフプールリソース指示および周期的なＣＳＩ−ＲＳの場合に対するＰＤＳＣＨレートマッチング情報の完全に動的な指示のオーバーヘッド節約を図９にまとめる。
【００９７】
動的ハーフプールリソース指示よりも完全に動的なリソース指示によって達成される２〜４％のわずかなオーバーヘッドの節約を考えると、ＤＣＩにより多くのビットを追加することは正当化されない。したがって、ＰＤＳＣＨレートマッチングのための動的なハーフプールのリソース指示と組み合わせたＤＣＩ  ２Ｄにおける既存のＰＱＩ状態の再利用は、より効率的な解決策である。
【００９８】
・非周期的なＣＳＩ−ＲＳリソースのあらかじめ設定されたプールの前半、後半、または全部が所与のサブフレームで使用されているかどうかを示すことを目的とし、送信モード１０のためのＤＣＩフォーマット２Ｄで４つのＰＱＩ状態を再利用することで、ＵＥがこれらのリソースの周囲でＰＤＳＣＨをレートマッチングすることができる。
【００９９】
・非周期的なＣＳＩ−ＲＳリソースのあらかじめ設定されたプールの前半、後半、または全部が所与のサブフレームで使用されているかどうかを示すことを目的とし、送信モード９のためのＤＣＩフォーマット２Ｃに２ビットを導入することで、ＵＥがこれらのリソースの周囲でＰＤＳＣＨをレートマッチングすることができる。
【０１００】
・非周期的なＺＰ  ＣＳＩ−ＲＳ設定のセットであって、非周期的なＺＰ  ＣＳＩ−ＲＳ設定の第１セットはあらかじめ設定されたリソースプールの前半の非周期的なＣＳＩ−ＲＳリソースと重複するリソースを含み、非周期的なＺＰ  ＣＳＩ−ＲＳ設定の第２セットは、あらかじめ設定されたリソースプールの前半の非周期的なＣＳＩ−ＲＳリソースと重複するリソースを含む。
【０１０１】
・ＵＥは、２ビット（送信モード１０のためのＰＱＩビットおよび送信モード９のための新たに導入されたビット）によって示される値に依存してセットの片方またはセットの両方の周辺でＰＤＳＣＨレートマッチングを行う。
【０１０２】
＜実施形態２＞
第２の解決策は、Ｋ＞１の非周期的なＮＺＰ  ＣＳＩ−ＲＳリソースの全ＣＳＩ?ＲＳリソースプールが非周期的ＣＳＩ−ＲＳの送信に使用されているかどうかを示すことである。すなわち、Ｋ＞１の非周期的なＮＺＰ  ＣＳＩ−ＲＳリソースのリソースプール内のリソースの１つを使用して、少なくとも１つのＵＥが非周期的なＣＳＩ−ＲＳ送信のためにトリガされる場合、ＰＤＳＣＨを受信し（そして非周期的なＣＳＩ−ＲＳを受信しない）ＵＥはＣＳＩ−ＲＳリソースプール全体のＰＤＳＣＨをレートマッチングするように指示される。ここで、リソースプール全体が使用されているか否かを示すためには１ビットがあれば十分である。いくつかの実施形態では、送信モード１０に対して、４つのＰＱＩ状態のうちの１つは、プール全体が使用されていることを示し、他の３つのＰＱＩ状態は、プール全体が使用されていないことを示す。いくつかの実施形態では、送信モード９に対して、プール全体が使用されているか否かを指し示すために、１ビットのフィールドが導入される。
【０１０３】
実施形態の一変形例において、ＵＥはＺＰ  ＣＳＩ−ＲＳ設定の１つのセットで設定され、それらに関連付けられたサブフレーム設定はない（すなわち、ＺＰ  ＣＳＩ−ＲＳは非周期的であり、任意のサブフレームで発生しうる）。非周期的なＺＰ  ＣＳＩ−ＲＳ設定のセットは、あらかじめ設定されたリソースプールの非周期的なＣＳＩ−ＲＳリソースと重複するリソースを含む。ＰＤＳＣＨを受信するＵＥがプール全体を使用することを指し示されると、ＵＥは非周期的なＺＰ  ＣＳＩ−ＲＳ設定のプール全体のリソースの周辺でＰＤＳＣＵレートマッチングを行う。
【０１０４】
・非周期的なＣＳＩ−ＲＳリソースのあらかじめ設定されたプールの全体が所与のサブフレームで使用されているかどうかを示すことを目的とし、送信モード１０のためのＤＣＩフォーマット２Ｄで４つのＰＱＩ状態の１つを利用することで、ＵＥがプール全体のリソースの周囲でＰＤＳＣＨをレートマッチングすることができる。
【０１０５】
・非周期的なＣＳＩ−ＲＳリソースのあらかじめ設定されたプールの全体が所与のサブフレームで使用されているかどうかを示すことを目的とし、送信モード９のためのＤＣＩフォーマット２Ｃに１ビットを導入することで、ＵＥがプール全体のリソースの周囲でＰＤＳＣＨをレートマッチングすることができる。
【０１０６】
・非周期的なＺＰ  ＣＳＩ−ＲＳ設定のセットが、あらかじめ設定されたリソースプールの非周期的なＣＳＩ−ＲＳリソースと重複するリソースを含む、非周期的なＺＰ  ＣＳＩ−ＲＳ設定のセットでＵＥを設定する。
【０１０７】
・ＵＥは、プールが使用されることを指し示される場合、あらかじめ設定された非周期的なＣＳＩ−ＲＳリソースプール全体の周囲でレートマッチングを実行する。
【０１０８】
＜実施形態３＞
ｅＮｏｄｅＢによってサービスを提供される全てのＵＥがＫ個の非周期的なＣＳＩ−ＲＳリソースの同一のプールで設定され、これらのＵＥの全てがアクティブ化された同一のＮ個のリソースを有する場合、続いてＰＤＳＣＨを受信するＵＥ（同様に同一のＫ個のあらかじめ設定されたリソースと、同一のＮ個のアクティブ化されたリソースを有する）はＮ個のアクティブ化された非周期的なＣＳＩ−ＲＳリソース内のリソースの周辺でＰＤＳＣＨを容易にレートマッチングすることができる。そのようなレートマッチングは、サブフレームごとに実行されることができ、ＰＤＳＣＨのレートマッチング情報はＰＤＳＣＨを受信するＵＥへ動的に指示される必要はない。
【０１０９】
・ｅＮｏｄｅＢによってサービスを提供されるすべてのＵＥがＫ個の非周期的なＣＳＩ−ＲＳリソースの同じプールを用いて設定され、これらすべてのＵＥが同じＮ個のリソースをアクティブにする場合、ＰＤＳＣＨのレートマッチングは任意のサブフレーム内のＮ個のアクティブリソースの周囲で行われる。
【０１１０】
＜実施形態４＞
本実施形態では、ｅＮｏｄｅＢによってサービスを提供されるＵＥの異なるグループは、非周期的なＣＳＩ−ＲＳリソースの異なるセットであらかじめ設定される。
【０１１１】
ＵＥのＧ個のそのようなグループが存在し、これらのＵＥはＫ1，Ｋ2，...，ＫG個の非周期的なＣＳＩ−ＲＳリソースであらかじめ設定され、ＫgはＵＥのｇ番目のグループに対してあらかじめ設定された非周期的なＣＳＩ−ＲＳリソースの数を示すと仮定する。
【０１１２】
このような場合、非周期的なＣＳＩ−ＲＳリソースプールは２つの個別のグループにグループ分けされる。第１グループはリソース
0006785370.tif 000008
を含み、第２グループはリソース
0006785370.tif 000009
を含む。続いて、４つの既存のＰＱＩ状態は、以下のように所与のサブフレームにおいてＰＤＳＣＨレートマッチングを指示するために使用されることができる。
【０１１３】
状態０：Ｋ1，Ｋ2，...，ＫGのリソースのいずれかにおいて非周期的なＣＳＩ−ＲＳ送信がない。
【０１１４】
状態１：第１グループの少なくとも１つの非周期的なＣＳＩ−ＲＳリソースが非周期的なＣＳＩ−ＲＳ送信のために使用される。
【０１１５】
状態２：第２グループの少なくとも１つの非周期的なＣＳＩ−ＲＳリソースが非周期的なＣＳＩ−ＲＳ送信のために使用される。
【０１１６】
状態３：両方のグループが少なくとも１つの非周期的なＣＳＩ−ＲＳリソースが非周期的なＣＳＩ−ＲＳ送信のために使用される。
【０１１７】
送信モード９について、同じ目的のために既存のＤＣＩ  ２Ｃへ２個の付加ビットが付加される。
【０１１８】
実施形態の一変形例において、ＵＥはＺＰ  ＣＳＩ−ＲＳ設定のセットで設定され、それらに関連付けられたサブフレーム設定はない（すなわち、ＺＰ  ＣＳＩ−ＲＳは非周期的であり、任意のサブフレームで発生しうる）。非周期的なＺＰ  ＣＳＩ−ＲＳ設定の第１セットは、第１グループの非周期的なＣＳＩ−ＲＳリソースと重複するリソースを含む。非周期的なＺＰ  ＣＳＩ−ＲＳ設定の第２セットは、第２グループの非周期的なＣＳＩ−ＲＳリソースと重複するリソースを含む。状態１が指示されると、ＵＥは非周期的なＺＰ  ＣＳＩ−ＲＳ設定の第１セットのリソースの周辺でＰＤＳＣＨをレートマッチングする。状態２が指示されると、ＵＥは非周期的なＺＰ  ＣＳＩ−ＲＳ設定の第２セットのリソースの周辺でＰＤＳＣＨをレートマッチングする。状態３が指示されると、ＵＥは非周期的なＺＰ  ＣＳＩ−ＲＳ設定の第１セットおよび第２セットの両方のリソースの周辺でＰＤＳＣＨをレートマッチングする。
【０１１９】
本明細書で説明される実施形態が実施される通信ネットワーク４を図１に示す。無線装置（ＷＤ）１は基地局（ＢＳ）２に無線で接続可能である。ＢＳ２はコアネットワーク（ＣＮ）３に接続される。
【０１２０】
実施形態に係る、ＰＤＳＣＨレートマッチングを容易にするための方法が図１０Ｂを参照して示される。方法はネットワークノード２で実行され、無線装置１に、非周期的なＣＳＩ−ＲＳリソースプールの全ての利用可能なリソースのグループが所与のサブフレームで使用されるか否かの指示を送ること１０２を含む。送ること１０２は、送信モード９の無線装置へ、ＣＳＩ−ＲＳリソースの判定された使用を表す付加ビットの値でＤＣＩフォーマット２Ｃのメッセージを送信することを含む。
【０１２１】
方法は、あらかじめ設定された第１部分、あらかじめ設定された第２部分へのグループの分割１００を取得することと、全ての利用可能な非周期的なＣＳＩ−ＲＳリソースの第１部分、第２部分、またはグループが所与のサブフレームで使用されるかどうかの指示を無線装置に送ること１０２と、無線装置のＰＤＳＣＨのレートマッチングを可能にすることと、をさらに含んでもよい。指示は、使用される非周期的なＣＳＩ−ＲＳリソースがないことを表してもよい。第１部分は前半であり、第２部分は後半であってもよい。
【０１２２】
無線装置における非周期的なＺＰ  ＣＳＩ−ＲＳの設定のセットは、非周期的なＣＳＩ−ＲＳリソースプールと重複するリソースを含んでもよい。
【０１２３】
方法はさらに、非周期的なＣＳＩ−ＲＳリソースの全ての利用可能な前半、後半、全て、および適用可能であれば非周期的なＣＳＩ−ＲＳリソースなし、のうちの１つを使用することを判定すること１０１を含み、送ること１０２は、送信モード１０の無線装置へ、ＣＳＩ−ＲＳリソースの判定された使用を表す値がＤＣＩフォーマット２Ｄメッセージ内の２つのＰＱＩビットに割り当てられるＤＣＩフォーマット２Ｄメッセージを送信することを含む。このため、ステップ１０１によって、レートマッチングのための付加的なＤＣＩビットの数が判定されてもよい。あるいは、ステップ１０１は、使用するＤＣＩフォーマットの判定とみなしてもよい。
【０１２４】
方法はさらに、非周期的なＣＳＩ−ＲＳリソースプールの全ての利用可能なリソースのグループまたは非周期的なＣＳＩ−ＲＳリソースなし、のいずれかをサブフレーム内で使用するか否かを判定すること１０１を含み、送ること１０２は、送信モード１０の無線装置へ、ＣＳＩ−ＲＳリソースの判定された使用を表す値がＤＣＩフォーマット２Ｄメッセージ内の１つのＰＱＩビットに割り当てられるＤＣＩフォーマット２Ｄメッセージを送信することを含む。
【０１２５】
送ること１０２は、送信モード９の無線装置へ、指示を表す１つの付加ビットでＤＣＩフォーマット２Ｃのメッセージを送信することを含んでもよい。
【０１２６】
２つの付加ビットは値が００，０１，１０，１１である４つの状態を表してもよい。
【０１２７】
実施形態に係る、ＰＤＳＣＨレートマッチングを容易にするための方法が図１０Ａを参照して示される。方法は無線装置で実行され、ネットワークノード２から、非周期的なＣＳＩ−ＲＳリソースプールの全ての利用可能なリソースのグループが所与のサブフレームで使用されるかどうかの指示を受信すること１１０と、受信された指示によって指示されたグループで非周期的なＣＳＩ−ＲＳリソースの周辺でＰＤＳＣＨレートマッチング１１１を適用することと、を含む。方法は、送信モード９の無線装置によって実施され、指示はＤＣＩフォーマット２Ｃの２つのビットで受信される。受信すること１１０は、送信モード９の無線装置から、ＣＳＩ−ＲＳリソースの判定された使用を表す２つの付加ビットの値でＤＣＩフォーマット２Ｃのメッセージを受信することを含む。
【０１２８】
方法はさらに、ネットワークノードから、全ての利用可能な非周期的なＣＳＩ−ＲＳリソースのあらかじめ設定された第１部分、あらかじめ設定された第２部分、またはグループが所与のサブフレームで使用されるかどうかの指示を受信すること１１０と、受信された指示によって指示された全ての利用可能なリソースのあらかじめ設定された第１部分、あらかじめ設定された第２部分、またはグループにおける非周期的なＣＳＩ−ＲＳリソースの周辺でＰＤＳＣＨレートマッチングを適用することと、を含む。第１部分は前半であり、第２部分は後半であってもよい。
【０１２９】
方法は、送信モード１０の無線装置によって実施されてもよく、指示はＤＣＩフォーマット２Ｄの２つのＰＱＩビットで受信されてもよい。
【０１３０】
方法は、送信モード１０の無線装置によって実施されてもよく、指示はＤＣＩフォーマット２Ｄの１つのビットで受信されてもよい。
【０１３１】
方法は、送信モード９の無線装置によって実施されてもよく、指示はＤＣＩフォーマット２Ｃの１ビットで受信されてもよい。
【０１３２】
＜実装（実施形態１〜４）＞
実施形態に係る、ＰＤＳＣＨレートマッチングを容易にするためのネットワークノード２が図１１Ｂを参照して示される。ネットワークノード２は、プロセッサ１０およびコンピュータプログラム製品１２，１３を含む。コンピュータプログラム製品は、プロセッサによって実行された際に、ネットワークノードに、非周期的なＣＳＩ−ＲＳリソースプールの全ての利用可能なリソースのグループが所与のサブフレームで使用されるか否かの指示を無線装置１へ送らせる１０２命令を格納する。送ること１０２は、送信モード９の無線装置へ、ＣＳＩ−ＲＳリソースの判定された使用を表す２つの付加ビットの値で、ダウンリンク制御情報（ＤＣＩ）フォーマット２Ｃのメッセージを送信することを含む。
【０１３３】
実施形態に係る、ＰＤＳＣＨレートマッチングを容易にするための無線装置１が図１１Ａを参照して示される。無線装置１は、プロセッサ１０およびコンピュータプログラム製品１２，１３を含む。コンピュータプログラム製品は、プロセッサによって実行された際に、無線装置１に、ネットワークノード２から非周期的なＣＳＩ−ＲＳリソースプールの全ての利用可能なリソースのグループが所与のサブフレームで使用されるかどうかの指示を受信させ（１１０）、受信された指示によって指示されたグループで非周期的なＣＳＩ−ＲＳリソースの周辺でＰＤＳＣＨレートマッチングを適用させる（１１１）、命令を格納する。受信１１０は、送信モード９のネットワークノード２から、ＣＳＩ−ＲＳリソースの判定された使用を表す２つの付加ビットの値でダウンリンク制御情報（ＤＣＩ）フォーマット２Ｃのメッセージを受信することを含む。
【０１３４】
実施形態に係る、ＰＤＳＣＨレートマッチングを容易にするためのネットワークノード２が図１２Ｂを参照して示される。ネットワークノード２は、無線装置１に、非周期的なＣＳＩ−ＲＳリソースプールの全ての利用可能なリソースのグループが所与のサブフレームで使用されるか否かの指示を送る１０２ための通信管理部６１を含む。送ること１０２は、送信モード９の無線装置へ、ＣＳＩ−ＲＳリソースの判定された使用を表す２つの付加ビットの値で、ダウンリンク制御情報（ＤＣＩ）フォーマット２Ｃのメッセージを送信することを含む。
【０１３５】
実施形態に係る、ＰＤＳＣＨレートマッチングを容易にするための無線装置１が図１２Ａを参照して示される。無線装置１は、ネットワークノード２から、非周期的なＣＳＩ−ＲＳリソースプールの全ての利用可能なリソースのグループが所与のサブフレームで使用されるかどうかの指示を受信する１１０ための通信管理部６１と、受信された指示によって指示されたグループで非周期的なＣＳＩ−ＲＳリソースの周辺でＰＤＳＣＨレートマッチング１１１を適用するための判定管理部６０と、を含む。受信すること１１０は、送信モード９のネットワークノード２から、判定されたＣＳＩ−ＲＳリソースの使用を表す２つの付加ビットの値で、ダウンリンク制御情報（ＤＣＩ）フォーマット２Ｃのメッセージを受信することを含む。
【０１３６】
ＰＤＳＣＨレートマッチングを容易にするための実施形態に係るコンピュータプログラム１４，１５が示される。コンピュータプログラムは、ネットワークノード２で実行された際に、無線装置１へ非周期的なＣＳＩ−ＲＳリソースプールの全ての利用可能なリソースのグループが所与のサブフレームで使用されるか否かの指示をネットワークノード２に送らせる（１０２）コンピュータプログラムコードを含む。送ること１０２は、送信モード９の無線装置へ、ＣＳＩ−ＲＳリソースの判定された使用を表す２つの付加ビットの値で、ダウンリンク制御情報（ＤＣＩ）フォーマット２Ｃのメッセージを送信することを含む。
【０１３７】
ＰＤＳＣＨレートマッチングを容易にするための実施形態に係るコンピュータプログラム１４，１５が示される。コンピュータプログラムは、無線装置１で実行された際に、無線装置１に、ネットワークノード２から非周期的なＣＳＩ−ＲＳリソースプールの全ての利用可能なリソースのグループが所与のサブフレームで使用されるかどうかの指示を受信させ（１１０）、受信された指示によって指示されたグループで非周期的なＣＳＩ−ＲＳリソースの周辺でＰＤＳＣＨレートマッチングを適用させる（１１１）、コンピュータプログラムコードを含む。受信すること１１０は、送信モード９のネットワークノード２から、ＣＳＩ−ＲＳリソースの判定された使用を表す２つの付加ビットの値でダウンリンク制御情報（ＤＣＩ）フォーマット２Ｃのメッセージを受信することを含む。
【０１３８】
コンピュータプログラム１４，１５と、コンピュータプログラム１４，１５が記憶されているコンピュータ可読記憶手段とを備えるコンピュータプログラム製品１２，１３も提示される。
【０１３９】
図１１Ａは無線装置１のいくつかのコンポーネントを示す概略図である。プロセッサ１０は好適な中央処理ユニット（ＣＰＵ）、マルチプロセッサ、マイクロコントローラ、デジタル信号処理器（ＤＳＰ）、特定用途向け統合回路、等のうちの１つ以上の任意の組み合わせを用いて提供されてもよく、メモリに格納されたコンピュータプログラム１４のソフトウェア命令を実行する能力を有してもよい。従って、メモリはコンピュータプログラム製品１２の一部であってもよく、または一部を形成するとみなすことができる。プロセッサ１０は図１０を参照して本明細書で説明される方法を実行するよう構成されてもよい。
【０１４０】
メモリは、読み書きメモリ（ＲＡＭ）および読み取り専用メモリ（ＲＯＭ）の任意の組み合わせであってもよい。メモリは、例えば、磁気メモリ、光学メモリ、ソリッドステートメモリ、または遠隔に搭載されたメモリの任意の単一のものまたは組み合わせであり得る持続的な記憶装置を含んでもよい。
【０１４１】
データメモリの形態の第２のコンピュータプログラム製品１３もまた、プロセッサ１０内のソフトウェア命令の実行中にデータを読み取りおよび／または記憶するために提供されてもよい。データメモリは、読み書きメモリ（ＲＡＭ）および読み取り専用メモリ（ＲＯＭ）の任意の組み合わせであってもよく、例えば、磁気メモリ、光学メモリ、ソリッドステートメモリ、または遠隔に搭載されたメモリの任意の単一のものまたは組み合わせであり得る持続的な記憶装置を含んでもよい。データメモリは、例えばＷＤ１のための機能を改善するために他のソフトウェア命令１５を保持してもよい。
【０１４２】
ＷＤ１は、例えばユーザインタフェースを含む入出力（Ｉ／Ｏ）インタフェース１１をさらに有してもよい。ＷＤ１は、他ノードからの信号を受信するよう構成された受信器と、他ノードに信号を送信するよう構成された送信器と（不図示）をさらに有してもよい。ＷＤ１の他のコンポーネントは、本明細書に提示された概念を不明瞭化しないよう省略される。
【０１４３】
図１２ＡはＷＤ１の機能ブロックを示す概略図である。モジュールは、キャッシュサーバで実行されるコンピュータプログラムのようなソフトウェア命令のみ、もしくは特定用途向け統合回路、フィールドプログラマブルゲートアレイ、ディスクリート論理コンポーネント、送受信器などのハードウェアのみ、またはこれらの組み合わせとして実施されてもよい。代替的な実施形態では、機能ブロックのいくつかはソフトウェアによって、その他はハードウェアによって実施されてもよい。図１０Ａに示す方法のステップに対応するモジュールは判定管理部ユニット６０および通信管理部ユニット６１を有する。１つ以上のモジュールがコンピュータプログラムによって実施される実施形態において、当然のことながら、いくつかのプログラミング言語は通常プロセスモジュールを含まないため、これらのモジュールは必ずしもプロセスモジュールに対応する必要はなく、それらが実施されるであろうプログラミング言語に従って命令として書くことができる。
【０１４４】
判定管理部６０はＰＤＳＣＨレートマッチングのためのものである。このモジュールは図１０Ａのマッチングステップ１１１に対応する。このモジュールは、例えばコンピュータプログラムを実行する図１１Ａのプロセッサ１０によって実施されることができる。
【０１４５】
通信管理部６１はＰＤＳＣＨレートマッチングのためのものである。このモジュールは図１０Ａの受信ステップ１１０に対応する。このモジュールは、例えばコンピュータプログラムを実行する図１１Ａのプロセッサ１０によって実施されることができる。
【０１４６】
図１１Ｂは基地局２のいくつかのコンポーネントを示す概略図である。プロセッサ１０は好適な中央処理ユニット（ＣＰＵ）、マルチプロセッサ、マイクロコントローラ、デジタル信号処理器（ＤＳＰ）、特定用途向け統合回路、等のうちの１つ以上の任意の組み合わせを用いて提供されてもよく、メモリに格納されたコンピュータプログラム１４のソフトウェア命令を実行する能力を有してもよい。従って、メモリはコンピュータプログラム製品１２の一部であってもよく、または一部を形成するとみなすことができる。プロセッサ１０は図１０Ｂを参照して本明細書で説明される方法を実行するよう構成されてもよい。
【０１４７】
メモリは、読み書きメモリ（ＲＡＭ）および読み取り専用メモリ（ＲＯＭ）の任意の組み合わせであってもよい。メモリは、例えば、磁気メモリ、光学メモリ、ソリッドステートメモリ、または遠隔に搭載されたメモリの任意の単一のものまたは組み合わせであり得る持続的な記憶装置を含んでもよい。
【０１４８】
データメモリの形態の第２のコンピュータプログラム製品１３もまた、プロセッサ１０内のソフトウェア命令の実行中にデータを読み取りおよび／または記憶するために提供されてもよい。データメモリは、読み書きメモリ（ＲＡＭ）および読み取り専用メモリ（ＲＯＭ）の任意の組み合わせであってもよく、例えば、磁気メモリ、光学メモリ、ソリッドステートメモリ、または遠隔に搭載されたメモリの任意の単一のものまたは組み合わせであり得る持続的な記憶装置を含んでもよい。データメモリは、例えばＢＳ２のための機能を改善するために他のソフトウェア命令１５を保持してもよい。
【０１４９】
ＢＳ２は、例えばユーザインタフェースを含む入出力（Ｉ／Ｏ）インタフェース１１をさらに有してもよい。ＢＳ２は、他ノードからの信号を受信するよう構成された受信器と、他ノードに信号を送信するよう構成された送信器と（不図示）をさらに有してもよい。ＢＳ２の他のコンポーネントは、本明細書に提示された概念を不明瞭化しないよう省略される。
【０１５０】
図１２ＢはＢＳ２の機能ブロックを示す概略図である。モジュールは、キャッシュサーバで実行されるコンピュータプログラムのようなソフトウェア命令のみ、もしくは特定用途向け統合回路、フィールドプログラマブルゲートアレイ、ディスクリート論理コンポーネント、送受信器などのハードウェアのみ、またはこれらの組み合わせとして実施されてもよい。代替的な実施形態では、機能ブロックのいくつかはソフトウェアによって、その他はハードウェアによって実施されてもよい。図１０Ｂに示す方法のステップに対応するモジュールは判定管理ユニット６０および通信管理部ユニット６１を有する。１つ以上のモジュールがコンピュータプログラムによって実施される実施形態において、当然のことながら、いくつかのプログラミング言語は通常プロセスモジュールを含まないため、これらのモジュールは必ずしもプロセスモジュールに対応する必要はなく、それらが実施されるであろうプログラミング言語に従って命令として書くことができる。
【０１５１】
判定管理部６０はＰＤＳＣＨレートマッチングのためのものである。このモジュールは図１０Ｂの分割ステップ１００および判定ステップ１０１に対応する。このモジュールは、例えばコンピュータプログラムを実行する図１１Ｂのプロセッサ１０によって実施されることができる。
【０１５２】
通信管理部６１はＰＤＳＣＨレートマッチングのためのものである。このモジュールは図１０Ｂの送信ステップ１０２に対応する。このモジュールは、例えばコンピュータプログラムを実行する図１１Ｂのプロセッサ１０によって実施されることができる。
【０１５３】
本発明は、主に、いくつかの実施形態を参照して上述した。しかしながら、当業者には容易に理解されるように、添付の特許請求の範囲によって定義されるように、上記に開示されたもの以外の他の実施形態も本発明の範囲内で同様に可能である。
【図１】
0006785370.tif 000010
【図２】
0006785370.tif 000011
【図３】
0006785370.tif 000012
【図４】
0006785370.tif 000013
【図５】
0006785370.tif 000014
【図６】
0006785370.tif 000015
【図７】
0006785370.tif 000016
【図８】
0006785370.tif 000017
【図９】
0006785370.tif 000018
【図１０Ａ】
0006785370.tif 000019
【図１０Ｂ】
0006785370.tif 000020
【図１１Ａ】
0006785370.tif 000021
【図１１Ｂ】
0006785370.tif 000022
【図１２Ａ】
0006785370.tif 000023
【図１２Ｂ】
0006785370.tif 000024